【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
キャップ本体部と、リングと、を具備してなる容器用のキャップであって、
前記キャップ本体部は上部および下部を含み、前記下部はリング配置部材を形成し、
前記リングは、
前記下部の外面近傍に配置されかつ前記リング配置部材と選択的に係合する外部材と、
前記リング配置部材が前記外部材の内側でかつ内部材の外側に配置された状態で前記下部の内面に近接配置された内部材であって、内側および上側に延在すると共に第１の縁部にて終端をなしている少なくとも一つのタブを有する内部材と、
前記内部材から内部に突出すると共に前記タブの前記第１の縁部上で第２の縁部にて終端をなしている少なくとも一つのフィンガー部材と、を具備してなることを特徴とする容器用キャップ。
【請求項２】
前記リング配置部材は、前記リングの前記外部材を選択的に受けるための溝を具備してなることを特徴とする請求項１に記載のキャップ。
【請求項３】
前記外部材は、前記溝と係合する、内部に突出する要素を具備してなることを特徴とする請求項２に記載のキャップ。
【請求項４】
前記リング配置部材は下部内側縁部に斜面を有することを特徴とする請求項１ないし請求項３のいずれか１項に記載のキャップ。
【請求項５】
前記リングは、前記内部材と前記外部材との間に配置された、少なくとも一つの破断可能な接続部を具備してなることを特徴とする請求項１ないし請求項４のいずれか１項に記載のキャップ。
【請求項６】
前記破断可能な接続部は、前記外部材から前記内部材を垂直分離させることによって破断するようになっていることを特徴とする請求項５に記載のキャップ。
【請求項７】
前記破断可能な接続部は略三角形タブであることを特徴とする請求項５に記載のキャップ。
【請求項８】
前記破断可能な接続部の基部は前記外部材に対して取り付けられており、かつ前記破断可能な接続部の逆側に位置する先端部は前記内部材に対して取り付けられていることを特徴とする請求項５に記載のキャップ。
【請求項９】
前記リングの前記外部材は、前記破断可能な接続部が破断した後、前記リング配置部材と係合したままとなることを特徴とする請求項５ないし請求項８に記載のキャップ。
【請求項１０】
前記破断可能な接続部は、前記キャップを取り外したとき可聴信号を発し、容器がまだ開封されていなかったことを知らせるようになっていることを特徴とする請求項５ないし請求項９に記載のキャップ。
【請求項１１】
容器ネック部を有する容器に対して選択的に結合され、前記タブおよび前記フィンガー部材は前記リングの前記内部材を拘束し、前記タブは、前記破断可能な接続部が破断したときおよびその後、前記内部材が前記容器ネック部を滑り上がるのを抑止し、かつ前記フィンガー部材は、前記破断可能な接続部が破断した後、前記内部材が前記容器ネック部を滑り落ちるのを抑止するようになっていることを特徴とする請求項５、または請求項５を引用した場合の請求項６ないし請求項１０のいずれか１項に記載のキャップ。
【請求項１２】
前記フィンガー部材は、このフィンガー部材を受けるよう構成された溝を有する容器ネック部と選択的に係合し、前記リングの前記内部材が前記容器ネック部の周りを回転するのを阻止するようになっていることを特徴とする請求項１ないし請求項１１のいずれか１項に記載のキャップ。
【請求項１３】
前記内部材の上面は、前記キャップ本体部の前記下部と選択的に係合するようになっていることを特徴とする請求項１ないし請求項１２のいずれか１項に記載のキャップ。
【請求項１４】
前記タブは、輸送中、前記キャップが後戻りしないよう、それを固定するようになっていることを特徴とする請求項１ないし請求項１３のいずれか１項に記載のキャップ。
【請求項１５】
複数の前記タブおよび前記フィンガーは、前記リングの内側部分に沿って周方向に、あるパターンで配置されていることを特徴とする請求項１に記載のキャップ。
【請求項１６】
第１の周方向における前記パターンは、大形タブ、第１の小形タブ、空所および第２の小形タブを含むことを特徴とする請求項１５に記載のキャップ。
【請求項１７】
破断可能な接続部は、前記フィンガーと前記大形タブとの間で周方向に配置されていることを特徴とする請求項１６に記載のキャップ。
【請求項１８】
破断可能な接続部は、前記第１の小形タブと前記第２の小形タブとの間に配置されていることを特徴とする請求項１６に記載のキャップ。
【請求項１９】
複数の破断可能な接続部は、前記リングに沿って周方向に、概ね対称的に間隔が置かれていることを特徴とする請求項１ないし請求項１４のいずれか１項に記載のキャップ。
【請求項２０】
複数のフィンガー部材およびタブは、前記内部材に沿って周方向に、概ね対称的に間隔が置かれていることを特徴とする請求項１ないし請求項１４のいずれか１項に記載のキャップ。
【請求項２１】
複数のタブは、二つのフィンガー部材間に周方向に配置されていることを特徴とする請求項１に記載のキャップ。
【請求項２２】
第１の周方向長さを持つ第１のタブは第１のフィンガー部材の近傍に存在し、かつ第２の周方向長さを持つ第２のタブは第２のフィンガー部材の近傍に存在することを特徴とする請求項２１に記載のキャップ。
【請求項２３】
第３の周方向長さを持つ第３のタブは前記第２のタブの近傍に存在し、前記第３の周方向長さは概ね前記第１の周方向長さと等しいものであることを特徴とする請求項２２に記載のキャップ。
【請求項２４】
前記リングは、前記容器の中味を大まかに示すために特定の色が付けられていることを特徴とする請求項１ないし請求項２３のいずれか１項に記載のキャップ。
【請求項２５】
上部およびリング配置部材を形成する下部を含むキャップ用のリングであって、
前記キャップと選択的に係合するよう構成された外部材と、
前記外部材の半径方向内側に配置された内部材であって、前記外部材および前記内部材は、前記リング配置部材が前記外部材の内側でかつ前記内部材の外側に配置された状態で前記リング配置部材を収容するよう構成されており、前記内部材は、内部および上方に延在する少なくとも一つのタブを有すると共に第１の縁部において終端をなしている内部材と、
前記内部材から内部に突出すると共に前記タブの前記第１の縁部上で第２の縁部にて終端をなしている少なくとも一つのフィンガー部材と、を具備してなることを特徴とするキャップ用リング。
【請求項２６】
少なくとも一つの破断可能な接続部が、前記内部材と前記外部材との間に配置されていることを特徴とする請求項２５に記載のリング。
【請求項２７】
前記外部材は、前記破断可能な接続部が破断した後に、前記キャップと係合したままとなることを特徴とする請求項２６に記載のリング。
【請求項２８】
前記破断可能な接続部は、前記外部材から前記内部材を垂直分離させることによって破断するようになっていることを特徴とする請求項２６または請求項２７に記載のリング。
【請求項２９】
前記破断可能な接続部は略三角形タブであることを特徴とする請求項２６ないし請求項２８のいずれか１項に記載のリング。
【請求項３０】
複数の破断可能な接続部は、前記外部材に沿って周方向に、概ね対称的に間隔が置かれていることを特徴とする請求項２６ないし請求項２９のいずれか１項に記載のリング。
【請求項３１】
複数のフィンガー部材およびタブは、前記内部材に沿って周方向に、概ね対称的に間隔が置かれていることを特徴とする請求項２５ないし請求項３０のいずれか１項に記載のリング。
【請求項３２】
複数の前記タブは、二つのフィンガー部材間で周方向に配置されていることを特徴とする請求項２５ないし請求項３１のいずれか１項に記載のリング。
【請求項３３】
第１の周方向長さを有する第１のタブは第１のフィンガー部材の近傍に存在し、かつ第２の周方向長さを有する第２のタブは第２のフィンガー部材の近傍に存在することを特徴とする請求項２５ないし請求項３２のいずれか１項に記載のリング。
【請求項３４】
第３の周方向長さを有する第３のタブは前記第２のタブの近傍に存在し、前記第３の周方向長さは前記第１の周方向長さと概ね等しいものであることを特徴とする請求項３３に記載のリング。
【請求項３５】
リングを備えたキャップを容器から分離させる方法であって、前記キャップは前記容器の容器ネック部と選択的接触状態にあり、
前記方法は、
前記キャップと選択的接触状態で前記リングの外部材を供給するステップと、
前記容器ネック部に対して前記リングの内部材を固定するステップであって、前記内部材は少なくとも一つのタブと少なくとも一つのフィンガー部材とを有し、前記タブは内側および上方に延在すると共に第１の縁部にて終端をなしており、前記フィンガー部材は前記内部材から内側に突出すると共に前記タブの前記第１の縁部上で第２の縁部にて終端をなしているものであるようなステップと、
破断可能な接続部を用いて前記外部材と前記内部材とを接続するステップであって、前記破断可能な接続部は前記内部材と前記外部材との間に配置されたものであるようなステップと、
前記容器ネック部によって前記内部材が保持されかつ前記外部材は前記キャップと共に前記容器ネック部から外れるように前記キャップをひねり、前記キャップの垂直移動によって前記破断可能な接続部を破断させるステップと、を具備することを特徴とする方法。
【請求項３６】
前記固定するステップは、前記破断可能な接続部が破断したとき前記内部材が前記容器ネック部を滑り上がるのを前記タブが抑止し、かつ前記破断可能な接続部が破断したとき前記内部材が前記容器ネック部を滑り落ちるのを前記フィンガー部材が抑止するよう、前記リングの前記内部材を前記フィンガー部材および前記タブによって拘束することを含むことを特徴とする請求項３５に記載の方法。
【請求項３７】
前記固定するステップは、前記タブの前記第１の縁部は移送ビードの下面と選択的接触状態となり、前記フィンガー部材の前記第２の縁部は前記移送ビードの上面と選択的接触状態となるよう、前記リングの前記内部材を前記容器ネック部の前記移送ビードに対して拘束することを含むことを特徴とする請求項３５に記載の方法。
【請求項３８】
キャップ本体部とリングとを具備してなる容器用キャップであって、
前記キャップ本体部は上部および下部を備え、前記下部はリング配置部材を形成し、
前記リングは、
前記リング配置部材と選択的に係合する前記下部の外面近傍に配置された外部材と、
前記リング配置部材が前記外部材の内側でかつ内部材の外側に配置された状態で前記下部の内面に近接配置された内部材であって、内側および上方へ突出する複数の突出部を有する内部材と、
前記外部材と前記内部材との間に配置された複数の破断可能な接続部と、を具備してなることを特徴とする容器用キャップ。
【請求項３９】
前記破断可能な接続部は、前記外部材から前記内部材を垂直分離させることによって破断するようになっていることを特徴とする請求項３８に記載のキャップ。
【請求項４０】
前記破断可能な接続部は略三角形であることを特徴とする請求項３８または請求項３９に記載のキャップ。
【請求項４１】
前記破断可能な接続部は、前記外部材に沿って周方向に、概ね対称的に間隔が置かれていることを特徴とする請求項３８ないし請求項４０のいずれか１項に記載のキャップ。